【手続補正書】
【提出日】平成19年6月1日(2007.6.1)
【手続補正１】
【補正対象書類名】明細書
【補正対象項目名】特許請求の範囲
【補正方法】変更
【補正の内容】
【特許請求の範囲】
【請求項１】  液体注入用のあらかじめ充填状態の注射器のための安全組立体であって、前記注射器は、液体のリザーバを形成して液体を注入する針を備えた管状本体と、使用可能位置と注入終端位置との間で動くことができるよう前記管状本体内に設けられたプランジャを有し、前記注射器の本体がフランジを備え、前記組立体は、
管状シースであって、前記注射器の本体が、前記針が該管状シースの遠位端から突出する使用位置と、前記針が該管状シースの内部に引っ込められる保護位置との間で軸線方向に変位可能に該管状シース内に収納されるよう設計されている管状シースと、
前記注射器の本体をその保護位置に向かって付勢する弾性戻し手段と、
前記弾性戻し手段の弾性力に対抗することにより前記注射器の本体が前記管状シースに対して動かないようにする係止手段と、
前記プランジャがその注入終端位置にあるときに前記係止手段を解放する解放手段と、を備え、
前記係止手段は、前記管状シースの壁に形成された実質的に直径方向に対向した２つの出張りを備え、該各出張りは、引っ込み可能なキャッチを備えた自由端を有し、
２つの位置の間で前記管状シース上を摺動するように設けられ、前記プランジャを受け入れる穴を備えた近位端を有するキャップと、
前記引っ込み可能なキャッチの引っ込みにより、前記キャップが前記弾性戻し手段によって移動されるように、前記キャップを前記管状の本体に取り付ける内部キャッチと、
一方が前記キャップ上にあり、他方が前記管状シース上にある当接部として、前記弾性戻し手段の弾性力に対抗して、前記係止手段が解放された後に前記キャップのストロークを制限するように作用する２つの相補的なスナップ動作結合手段と、をさらに備える、
ことを特徴とする安全組立体。
【請求項２】  前記管状シースは、外部保持手段を備え、外部保持手段は、ユーザの指で保持されて、プランジャの駆動側端部を該外部保持手段に向かって軸線方向に動かすことにより液体が注入されるように構成されている、
請求項１に記載の安全組立体。
【請求項３】  前記管状シースの外部保持手段は、実質的に直径方向に対向した２つのフィン又は出張りを備えている、
請求項２に記載の安全組立体。
【請求項４】  前記外部保持手段は、前記管状シースの外面に形成された肩を有する、
請求項２に記載の安全組立体。
【請求項５】  前記注射器の本体をその保護位置に向かって付勢する弾性戻し手段は、前記管状シースに形成された内部当接肩に当接するように設計されたスラストスプリングである、
請求項１に記載の安全組立体。
【請求項６】  前記管状シースおよび前記キャップは、全体として回転体の形態をし、相互の相対回転を防止する相補手段を有している、
請求項１に記載の安全組立体。
【請求項７】  前記相互の相対回転を防止する相補手段は、前記キャップに形成され、かつ、前記管状シースに取り付けられた対応するフィンガと協働する少なくとも１つの軸線方向溝を有する、
請求項６に記載の安全組立体。
【請求項８】  前記相互の相対回転を防止する相補手段は、前記キャップに形成され、かつ、フィンと協働する少なくとも１つの軸線方向スロットを有する、
請求項６に記載の安全組立体。
【請求項９】  液体注入用のあらかじめ充填状態の注射器であって、該注射器は、液体のリザーバを形成して液体を注入する針を備えた管状本体と、使用可能位置と注入終端位置との間で動くことができるよう前記管状本体内に設けられたプランジャを有し、前記注射器の本体がフランジを備える注射器をさらに備える、
請求項１に記載の安全組立体。
【請求項１０】  液体注入用のあらかじめ充填状態の注射器であって、該注射器は、液体のリザーバを形成して液体を注入する針を備えた管状本体と、使用可能位置と注入終端位置との間で動くことができるよう前記管状本体内に設けられたプランジャを有し、前記注射器の本体がフランジを備える注射器をさらに備える、
請求項２に記載の安全組立体。
【請求項１１】  液体注入用のあらかじめ充填状態の注射器であって、該注射器は、液体のリザーバを形成して液体を注入する針を備えた管状本体と、使用可能位置と注入終端位置との間で動くことができるよう前記管状本体内に設けられたプランジャを有し、前記注射器の本体がフランジを備える注射器をさらに備える、
請求項３に記載の安全組立体。
【請求項１２】  液体注入用のあらかじめ充填状態の注射器であって、該注射器は、液体のリザーバを形成して液体を注入する針を備えた管状本体と、使用可能位置と注入終端位置との間で動くことができるよう前記管状本体内に設けられたプランジャを有し、前記注射器の本体がフランジを備える注射器をさらに備える、
請求項４に記載の安全組立体。
【請求項１３】  液体注入用のあらかじめ充填状態の注射器であって、該注射器は、液体のリザーバを形成して液体を注入する針を備えた管状本体と、使用可能位置と注入終端位置との間で動くことができるよう前記管状本体内に設けられたプランジャを有し、前記注射器の本体がフランジを備える注射器をさらに備える、
請求項５に記載の安全組立体。
【請求項１４】  液体注入用のあらかじめ充填状態の注射器であって、該注射器は、液体のリザーバを形成して液体を注入する針を備えた管状本体と、使用可能位置と注入終端位置との間で動くことができるよう前記管状本体内に設けられたプランジャを有し、前記注射器の本体がフランジを備える注射器をさらに備える、
請求項６に記載の安全組立体。
【請求項１５】  液体注入用のあらかじめ充填状態の注射器であって、該注射器は、液体のリザーバを形成して液体を注入する針を備えた管状本体と、使用可能位置と注入終端位置との間で動くことができるよう前記管状本体内に設けられたプランジャを有し、前記注射器の本体がフランジを備える注射器をさらに備える、
請求項７に記載の安全組立体。
【請求項１６】  液体注入用のあらかじめ充填状態の注射器であって、該注射器は、液体のリザーバを形成して液体を注入する針を備えた管状本体と、使用可能位置と注入終端位置との間で動くことができるよう前記管状本体内に設けられたプランジャを有し、前記注射器の本体がフランジを備える注射器をさらに備える、
請求項８に記載の安全組立体。
【請求項１７】  液体注入用のあらかじめ充填状態の注射器のための安全組立体であって、前記注射器は、液体のリザーバを形成して液体を注入する針を備えた管状本体と、使用可能位置と注入終端位置との間で動くことができるよう前記管状本体内に設けられたプランジャを有し、前記注射器の本体がフランジを備え、前記組立体は、
管状シースであって、前記注射器の本体が、前記針が該管状シースの遠位端から突出する使用位置と、前記針が該管状シースの内部に引っ込められる保護位置との間で軸線方向に変位可能に該管状シース内に収納されるよう設計されている管状シースと、
前記注射器の本体をその保護位置に向かって付勢する弾性戻し手段と、
前記弾性戻し手段の弾性力に対抗することにより前記注射器の本体が前記管状シースに対して動かないようにする係止手段と、を備え、該係止手段は、前記プランジャがその注入終端位置にあるときに解放手段によって解放され、
前記係止手段は、前記管状シースの壁に形成された実質的に直径方向に対向した２つの出張りを備え、該各出張りは、引っ込み可能なキャッチを備えた自由端を有し、
２つの位置の間で前記管状シース上を摺動するように設けられ、前記プランジャを受け入れる穴を備えた近位端を有するキャップと、
前記引っ込み可能なキャッチの引っ込みにより、前記キャップが前記弾性戻し手段によって移動されるように、前記キャップを前記管状の本体に取り付ける内部キャッチと、
一方が前記キャップ上にあり、他方が前記管状シース上にある当接部として、前記弾性戻し手段の弾性力に対抗して、前記係止手段が解放された後に前記キャップのストロークを制限するように作用する２つの相補的なスナップ動作結合手段と、をさらに備え、
前記管状シースおよび前記キャップは、全体として回転体の形態をし、相互の相対回転を防止する相補手段を有しており、
前記相互の相対回転を防止する相補手段は、前記キャップに形成され、かつ、前記管状シースに取り付けられた対応するフィンガと協働する少なくとも１つの軸線方向溝を有する、
ことを特徴とする安全組立体。
【請求項１８】  液体注入用のあらかじめ充填状態の注射器のための安全組立体であって、前記注射器は、液体のリザーバを形成して液体を注入する針を備えた管状本体と、使用可能位置と注入終端位置との間で動くことができるよう前記管状本体内に設けられたプランジャを有し、前記注射器の本体がフランジを備え、前記組立体は、
管状シースであって、前記注射器の本体が、前記針が該管状シースの遠位端から突出する使用位置と、前記針が該管状シースの内部に引っ込められる保護位置との間で軸線方向に変位可能に該管状シース内に収納されるよう設計されている管状シースと、
前記注射器の本体をその保護位置に向かって付勢する弾性戻し手段と、
前記弾性戻し手段の弾性力に対抗することにより前記注射器の本体が前記管状シースに対して動かないようにする係止手段と、を備え、該係止手段は、前記プランジャがその注入終端位置にあるときに解放手段によって解放され、
前記係止手段は、前記管状シースの壁に形成された実質的に直径方向に対向した２つの出張りを備え、該各出張りは、引っ込み可能なキャッチを備えた自由端を有し、
２つの位置の間で前記管状シース上を摺動するように設けられ、前記プランジャを受け入れる穴を備えた近位端を有するキャップと、
前記引っ込み可能なキャッチの引っ込みにより、前記キャップが前記弾性戻し手段によって移動されるように、前記キャップを前記管状の本体に取り付ける内部キャッチと、
一方が前記キャップ上にあり、他方が前記管状シース上にある当接部として、前記弾性戻し手段の弾性力に対抗して、前記係止手段が解放された後に前記キャップのストロークを制限するように作用する２つの相補的なスナップ動作結合手段と、をさらに備え、
前記管状シースおよび前記キャップは、全体として回転体の形態をし、相互の相対回転を防止する相補手段を有しており、
前記相互の相対回転を防止する相補手段は、前記キャップに形成され、かつ、フィンと協働する少なくとも１つの軸線方向スロットを有する、
ことを特徴とする安全組立体。
【請求項１９】  液体注入用のあらかじめ充填状態の注射器であって、該注射器は、液体のリザーバを形成して液体を注入する針を備えた管状本体と、使用可能位置と注入終端位置との間で動くことができるよう前記管状本体内に設けられたプランジャを有し、前記注射器の本体がフランジを備える注射器をさらに備える、
請求項１７に記載の安全組立体。
【請求項２０】  液体注入用のあらかじめ充填状態の注射器であって、該注射器は、液体のリザーバを形成して液体を注入する針を備えた管状本体と、使用可能位置と注入終端位置との間で動くことができるよう前記管状本体内に設けられたプランジャを有し、前記注射器の本体がフランジを備える注射器をさらに備える、
請求項１８に記載の安全組立体。
【請求項２１】  前記解放手段は、前記キャップに設けられた傾斜部である、
請求項１に記載の安全組立体。